(57)【特許請求の範囲】
【請求項１】
柱又は土台の挿通孔に挿入されて上下に２部材を継ぎ合わせる継ぎ手用中空金物にして、該中空金物は、筒状胴部の両端を半球状としたカプセル形立体の縦割り半体を一対、これらの凹部を内側として突き合わせてあり、前記の半体は、互いに当接する縁部に係止部が形成されており、突き合わされた前記一対の半体が係止部によって一体に固定されていることを特徴とする建築用中空金物。
【発明の詳細な説明】
【０００１】
【発明の属する技術分野】
本発明は、木造建築物における柱と柱、又は、柱と土台等を継ぎ合わせるための建築用中空金物に関する。
【０００２】
【従来の技術】
従来から、木造建築においては柱と柱を上下に継ぎ合わせる場合にはそれぞれに形成された挿通孔のうち先ず下の柱の操通孔に中空な部材を挿入し外部材の上半分が突き出た状態でそれを上の柱の挿通孔に入れて嵌合させて組み合わせ、しかる後にピンで固定することが行われている。
【０００３】
そのような、中空金物としてまず金属材料を使用してパイプ状部材を形成して、該パイプ状部材を適宜長さに切断し両端を塞いだり、ピン等のための挿通孔を穿設したりして製作していた。
【０００４】
【発明が解決しようとする課題】
しかし、そのようなパイプから製造する場合には、上記したようなまずパイプを製造し出来上がったパイプを適宜長さに切断し、しかる後に両端の開口部を塞ぐという工程は余分な工程であり、これが入り込むことにより製造時間が延長して木造建築の全体の工期が長くなり工賃にも影響するという問題がある。
【０００５】
以上の現状を鑑みて、本発明の目的とするところは、少ない工程で中空金物を作成して工期の短縮を図り、もって建築のコストを低減することのできる木造建築物の継ぎ合わせのための中空金物を提供することにある。
【０００６】
【課題を解決するための手段】
以上の目的を達成するために本発明の手段は、柱又は土台の挿通孔に挿入されて上下に２部材を継ぎ合わせる継ぎ手用中空金物を、筒状胴部の両端を半球状としたカプセル形立体の縦割り半体（碗状半体という）の一対を突き合わせた構造とする。突き合わせるときは、一対の碗状半体の凹部を内側として突き合わせる。また、碗状半体は、前記のようにして互いに当接する縁部に係止部を備え、突き合わされることによって前記一対の半体が係止部により一体に固定される。
【０００７】
【０００８】
【発明の実施の形態】
図1は、木造建築における土台まわりの軸組み構造の斜視図であり、Ａは十文字に形成された木造建築の布基礎、Ｂとこれと直交するＢ´は前記布基礎の上に設置される土台、Ｃは前記土台Ｂの上に立設される柱である。そして、前記土台Ｂと土台Ｂ´の連結の為には箱型金具Ｄが、又前記土台Ｂと柱Ｃの連結の為には中空金物Ｅが使用される。
【０００９】
前記土台Ｂは、現場で布基礎Ａの上に土台Ｂ´と直交するように敷設されている。これには、前記箱型金具Ｄが前記土台Ｂに取り付けられることが予定されているために、土台Ｂの内部に対応する穴や挿通孔が予め複数箇所に形成されている。
【００１０】
前記箱型金具Ｄは、図２に示すように表面のセンターライン上にほぞ状突部１１が形成されている略矩形の背板１と、該背板１の両側縁からは一対の側板２が裏面方向に平行に延長しており全体で略箱型に形成されている。さらに、前記ほぞ状突部１１の頭部の中央にはボルト穴１１´が形成されている。
【００１１】
前記ほぞ状突起１１の下方に所定位置を介して大径部１２ａと該大径部１２ａから前記ほぞ状突起１１に向かって延長する小径部１２ｂからなる鍵穴状ボルト穴１２が穿設されている。そして、前記小径部１２ｂは、大径部１２ａに向かって連通するスロットの形状をしている。
【００１２】
一方、前記背板１から延長する各側板２にはピン案内溝２１とボルト穴２２、２３が穿設されており、互いに他方の側板のボルト案内溝２１とボルト穴２２、２３に対向している。
【００１３】
図３に示すように、前記土台Ｂの側面には箱型金具のほぞ状突起１１および鍵穴状ボルト穴１２に対応する所定位置にほぞ穴１１ａとボルト穴１２ａが予め穿設されていて垂直方向に整列している。さらに、前記ほぞ穴１１ａの奥にはこれに連通するボルト挿通孔１１ｂが形成されている。一方、前記ボルト穴１２ａにはボルトＴが予め螺入していてそのヘッド部分を含め上端部分が図１に示すように外側横方向に突出している状態になっている。
【００１４】
次に、柱Ｃと土台Ｂに埋設される中空金物Ｅについて説明する。前記土台Ｂの中央部と前記柱Ｃの軸心部にはそれぞれ挿通孔ＢａとＣａが形成されており、前記柱Ｃが前記土台Ｂに軸組みされる時には互いに連通し位置が整合した状態で前記中空金物Ｅが嵌合するようになっている。
【００１５】
該中空金物Ｅは、図４、図５に示すように、碗状半体Ｅ´の一対を突き合わせて構成してある。碗状半体Ｅ´は、筒状胴部の両端を半球状としたカプセル形立体を縦割りした細長の半体であり、これらの凹部を内側として突き合わせてある。また、前記の半体は、互いに当接する縁部に係止部Ｅａを有しており、突き合わせることで一対の半体が係止部によって一体に固定される。
碗状半体Ｅ´は、金型を用いたプレス加工により簡単に成形でき、また、同時にピン挿通孔Ｅｂとボルト挿通孔Ｅｃを形成することができる。したがって、開口部を合体させて係止部Ｅａで固定した一対の碗状半体、すなわち、中空金物Ｅは、断面が円形で中空の金属部材である。この部材は、全体が細長で両端部は半球状の湾曲した形状をしているために合体させると土台や柱に形成した挿通孔ＢａとＣａへ挿入する際に円滑な作業が可能である。
【００１６】
そして前記湾曲した両端部付近には、合体させたときに相手側半体Ｅ´に形成したピン挿通孔Ｅｂとボルト挿通孔Ｅｃが対向して位置し、貫通している。
【００１７】
以上、説明した土台Ｂ、Ｂ´と柱Ｃの状態ならびに箱型金具Ｄと中空金物Ｅを利用して、以下に土台と柱の軸組みの手順を説明する。先ず、前記土台Ｂの側面でほぞ穴１１ａとボルト穴１２ａにボルトＴが挿入されている所定位置に前記箱型金具Ｄの背板１を対向するように接近させて当接させる。
【００１８】
そのときに、土台Ｂに螺入されているボルトＴを箱型金具Ｄの鍵穴状ボルト穴１２の大径部１２ａに挿入しつつ該ボルトＴを小径部に案内するように箱型金具を降下させる。そして、ボルトＴをスロット形状をしている小径部１２ｂの最上部に当接させて箱型金具をボルトＴの上に載置する。それと共にほぞ状突部１１をほぞ穴１１ａに挿入する。この位置で前記ボルトＴに対して増す締めを施し箱型金具を土台Ｂに固定する。
【００１９】
次に、土台Ｂに形成した挿通孔Ｂａに前記中空金物Ｅを挿入した半分が上方に突出した状態で前記柱Ｃをその挿通孔Ｃａに該突出した部分が挿入されるように降下させる。
【００２０】
そして、ドリフトピンＰを柱に形成したぴん穴Ｐａを介して中空金物Ｅの前記ピン挿通孔Ｅｂに挿通すると共に、ボルトＳを箱型金具のほぞ状突部のボルト穴１１´を介して前記ボルト挿通孔１１ｂからさらに、中空金物Ｅのボルト穴Ｅｃに挿入した後にナットで箱型金具Ｄの内側から締め付け固定する。
【００２１】
以上の通り、箱型金具Ｄを利用して土台Ｂに土台Ｂ´を固定しすると共に、土台Ｂに柱Ｃを立設固定するためには中空金物Ｅを利用し、且つ、箱型金具Ｄのほぞ状突部１１に形成したボルト穴１１´と中空金物に形成したボルト穴Ｅｃにボルトを挿通して固定するので現場作業が簡単であるばかりではなく、土台、柱の軸組みが強固に施される。
【００２２】
また、前記土台Ｂと土台Ｂ´の組み付け及び土台Ｂと柱Ｃとの組み付けにおいて箱型金具Ｄと中空金物の説明を行ったが、本発明においてはこれに限定されるものではなく梁と梁又は梁と柱の組み付けにも有効である。
【００２３】
【発明の効果】
以上、説明したとおり本発明の中空金物は、柱又は土台の挿通孔に挿入されて上下に２部材を継ぎ合わせたものであるが該中空金物は、一対の碗状半体を含むので製作には金型を用意して成形すればよく、工程はそれ以上を必要としないので製造時間が短時間ですむ。その結果、木造建築全体のコスト削減にも役立つ。
【００２４】
また、前記中空金物は互いに当接する縁部を有し、該縁部は係止部が形成されているので適宜手動で半体を組み合わせることができ、中空金物の製造の最終工程が簡略化する。
【図面の簡単な説明】
【図１】  本発明の中空金物その他を使用して柱と土台を組みあわせた斜視図である。
【図２】  図１に使用される建築用金具の斜視図である。
【図３】  柱と土台に形成された挿通孔を示す断面図である。
【図４】  本発明の中空金物と固定するためのピン、ボルト類の斜視図である。
【図５】  本発明の中空金物の分解斜視図である。
【符号の説明】
Ａ  布基礎
Ｂ、Ｂ´  土台
Ｃ  柱
Ｄ  金具
Ｅ  中空金物
Ｅ´  半体
【図１】
0003892560.tif 000002
【図２】
0003892560.tif 000003
【図３】
0003892560.tif 000004
【図４】
0003892560.tif 000005
【図５】
0003892560.tif 000006